(57)【要約】      （修正有）【課題】ボビンのセット及び交換が容易で且つボビンをガタ付くことなくスムーズに回転支持する。【解決手段】什器本体１から片持ち状に突出して取り付けられる複数の略平行な支持回転体２に対し、これらの先端部２ａ側からボビンＢを挿入することにより、ボビンＢの内周面Ｂ２において周方向の異なる個所に、複数の支持回転体２の支持部２ｂがそれぞれ当接して、ボビンＢが回転自在に支持される。また長尺物品Ｃの引き出しに伴ってボビンＢが回転しても、ボビンＢ及びそれに巻かれた長尺物品Ｃの重量で、各支持回転体２の並列方向へ位置ズレしないとともに、ボビンＢの内周面Ｂ２に設けられる挿通孔Ｂ５を挿通して突出した長尺物品Ｃの末端部Ｃ１と対向するように環状空間部２ｃが配置されることにより、ボビンＢの回転に伴い長尺物品Ｃの末端部Ｃ１が環状空間部２ｃに入り込んで、支持回転体２の外周と接触せずに回転移動する。【選択図】図１
2012165868.tif 000002
【特許請求の範囲】
【請求項１】
什器本体と、長尺物品が巻き取られた円筒状のボビンを回転自在に支持する支持回転体とを備えた陳列什器であって、
前記支持回転体が、前記ボビンをその軸線方向へ貫通して該ボビンの内周面の周方向一部のみと対向するように形成され、
前記什器本体に対して前記支持回転体を、その先端部が自由端となるように片持ち状に突出し、且つ一つの前記ボビンに対して複数の該支持回転体が、前記ボビンの前記内周面において周方向の異なる個所に対向するように略平行に並べて取り付け、
前記支持回転体の外周には、前記ボビンの前記内周面において軸線方向の一部のみと部分的に当接する支持部と、該内周面において軸線方向の残り部位と対向する環状空間部とを形成したことを特徴とする陳列什器。
【請求項２】
前記支持部が、前記支持回転体の中心に配置されるローラの外周面から放射状に突出する複数の支持腕を有することを特徴とする請求項１記載の陳列什器。
【請求項３】
前記支持回転体の前記先端部側から前記什器本体側へ向け斜め下方へ延びて連結する支えアームを設けたことを特徴とする請求項１又は２記載の陳列什器。
【請求項４】
請求項１、２又は３記載の陳列什器と、前記長尺物品が巻き取られた前記ボビンとからなる陳列スタンドであって、
前記ボビンは、円筒状の中芯を有し、該中芯の外周面に沿って前記長尺物品が巻き取られ、前記中芯の前記内周面において周方向の異なる個所に、前記陳列什器の前記支持回転体を複数、それぞれの前記支持部が当接するように配置したことを特徴とする陳列スタンド。
【発明の詳細な説明】
【技術分野】
【０００１】
本発明は、例えばホースやチューブ又はロープなどの長尺物品を店頭などで陳列しながら適宜長さ分だけ引き出して販売するために用いられる陳列什器、及び、ホースなどの長尺物品が巻き取られたボビンと、このボビンを回転自在に支持する陳列什器とからなる陳列スタンドに関する。
【背景技術】
【０００２】
従来、この種の陳列什器及び陳列スタンドとして、ボビン軸の両端部近傍に、所望な線材を固着連結して、ホースボビンの中芯内周面に、その軸方向全幅に亘って圧接衝合するように折り曲げた放射腕を、前記ボビン軸の周りに放射状に設けることにより、ホースボビン支持回転体が構成され、前記ホースボビンの中芯内周面に対して、前記放射腕が圧接するように前記ボビン支持回転体を嵌入し、什器本体の縦杆に設けられた軸受け凹部に、前記ボビン軸の両端部を載せることで、前記ホースボビンを回転可能に係止したものがある（例えば、特許文献１参照）。
さらに、前記ホースボビンの前記中芯には、ホース挿通孔が設けられ、このホース挿通孔に前記ホースの端末を挿通して係止され、前記ホースボビン支持回転体の前記放射腕内には、ホース挟持部が設けられ、このホース挟持部に前記ホースの端末がその弾性力を利用して挟持されるようにしている。
【先行技術文献】
【特許文献】
【０００３】
【特許文献１】特開平８−２９４４３４号公報
【発明の概要】
【発明が解決しようとする課題】
【０００４】
しかし乍ら、このような従来の陳列什器及び陳列スタンドでは、ボビンを回転可能に支持するために、ボビンの中芯に対し、ボビン支持回転体をその放射腕が中芯内周面に圧接するように嵌入してから、ボビン支持回転体のボビン軸の両端部を、什器本体の軸受け凹部に載架しなければならず、ボビン支持回転体の嵌入作業に手間がかかるとともに、ホースが総て引き出されてボビンを交換する際にも、ボビンに対してボビン支持回転体を出し入れする必要があって、その作業が面倒であるという問題があった。
さらに、ホースが巻き付けられたボビンは重く、更にボビン支持回転体の重量が追加されるため、女性などの非力な作業者では持ち上げが困難で、ボビン軸の両端部を什器本体の軸受け凹部に載架する作業が行えないという問題もあった。
また、ボビンの中芯内周面から挿通孔を通ってホースの端末が突出するため、このホースの端末が、ボビンの回転に支障をきたすことなく支持可能にする必要がある。
またさらに、ボビンが例えば厚紙や段ボールなどの紙製である場合には、ホースの巻き付け後におけるホースの収縮や輸送時の振動などで中芯が潰れたり、中芯の内周面にシワが発生するおそれがあり、このようにボビンの内周面が変形しても、ボビンの回転に支障をきたすことなく支持可能にする必要がある。
【０００５】
本発明は、このような問題に対処することを課題とするものであり、什器本体に対してボビンのセット及び交換が容易で且つボビンをガタ付くことなくスムーズに回転支持可能な陳列什器を提供すること、陳列什器に対してボビンのセット及び交換が容易で且つボビンをガタ付くことなくスムーズに回転支持可能な陳列スタンドを提供すること、などを目的とするものである。
【課題を解決するための手段】
【０００６】
このような目的を達成するために本発明による陳列什器は、前記支持回転体が、前記ボビンをその軸線方向へ貫通して該ボビンの内周面の周方向一部のみと対向するように形成され、前記什器本体に対して前記支持回転体を、その先端部が自由端となるように片持ち状に突出し、且つ一つの前記ボビンに対して複数の該支持回転体が、前記ボビンの前記内周面において周方向の異なる個所に対向するように略平行に並べて取り付け、前記支持回転体の外周には、前記ボビンの前記内周面において軸線方向の一部のみと部分的に当接する支持部と、該内周面において軸線方向の残り部位と対向する環状空間部とを形成したことを特徴とする。
【０００７】
また本発明による陳列スタンドは、前記ボビンは、円筒状の中芯を有し、該中芯の外周面に沿って前記長尺物品が巻き取られ、前記中芯の前記内周面において周方向の異なる個所に、前記陳列什器の前記支持回転体を複数、それぞれの前記支持部が当接するように配置したことを特徴とする。
【発明の効果】
【０００８】
前述した特徴を有する本発明による陳列什器は、什器本体から片持ち状に突出して取り付けられる複数の略平行な支持回転体に対し、これらの先端部側からボビンを挿入することにより、ボビンの内周面において周方向の異なる個所に、複数の支持回転体の支持部がそれぞれ当接して、ボビンが回転自在に支持され、また長尺物品の引き出しに伴ってボビンが回転しても、ボビン及びそれに巻かれた長尺物品の重量で、各支持回転体の並列方向へ位置ズレしないとともに、ボビンの内周面に設けられる挿通孔を挿通して突出する長尺物品の末端部と対向するように環状空間部が配置されることにより、ボビンの回転に伴い長尺物品の末端部が環状空間部に入り込んで、支持回転体の外周と接触せずに回転移動するので、什器本体に対してボビンのセット及び交換が容易で且つボビンをガタ付くことなくスムーズに回転支持することができる。
その結果、ボビンに対するボビン支持回転体の嵌入作業と、什器本体の軸受け凹部に対するボビン支持回転体のボビン軸の載架作業が必要な従来のものに比べ、ボビンの中芯に対してボビン支持回転体を嵌入する必要がないから、什器に対するボビンのセットや交換作業が素早く行えるとともに、長尺物品としてホースなどが巻き付けられたボビンにボビン支持回転体の重量分が追加されないので、女性などの非力な作業者であってもボビンが持ち上げ可能になって、什器に対するボビンのセットや交換作業を行うことができる。
さらに、ボビンの中芯内周面から挿通孔を通って突出する長尺物品の末端部が回転支持の障害とならず、安定した保持構造が得られる。
【０００９】
また、前述した特徴を有する本発明による陳列スタンドは、陳列什器の什器本体から片持ち状に突出して取り付けられる複数の略平行な支持回転体に対し、これらの先端部側からボビンを挿入することにより、ボビンの内周面において周方向の異なる個所に、複数の支持回転体の支持部がそれぞれ当接して、ボビンが回転自在に支持され、また長尺物品の引き出しに伴ってボビンが回転しても、ボビン及びそれに巻かれた長尺物品の重量で、各支持回転体の並列方向へ位置ズレしないとともに、ボビンの内周面の挿通孔を挿通して突出した長尺物品の末端部と対向するように環状空間部が配置されることにより、ボビンの回転に伴い長尺物品の末端部が環状空間部に入り込んで、支持回転体の外周と接触せずに回転移動するので、陳列什器に対してボビンのセット及び交換が容易で且つボビンをガタ付くことなくスムーズに回転支持することができる。
その結果、ボビンに対するボビン支持回転体の嵌入作業と、什器本体の軸受け凹部に対するボビン支持回転体のボビン軸の載架作業が必要な従来のものに比べ、ボビンの中芯に対してボビン支持回転体を嵌入する必要がないから、什器に対するボビンのセットや交換作業が素早く行えるとともに、長尺物品としてホースなどが巻き付けられたボビンにボビン支持回転体の重量分が追加されないので、女性などの非力な作業者であってもボビンが持ち上げ可能になって、什器に対するボビンのセットや交換作業を行うことができる。
さらに、ボビンの中芯内周面から挿通孔を通って突出する長尺物品の末端部が回転支持の障害とならず、安定した保持構造が得られる。
【図面の簡単な説明】
【００１０】
【図１】本発明の実施形態に係る陳列什器及び陳列スタンドを示す斜視図である。
【図２】陳列什器の斜視図である。
【図３】支持回転体の一例を示す拡大斜視図であり、（ａ）が表側から見た斜視図、（ｂ）が裏側から見た分解斜視図である。
【図４】ボビンの一例を示す斜視図である。
【発明を実施するための形態】
【００１１】
以下、本発明の実施形態を図面に基づいて詳細に説明する。
本発明の実施形態に係る陳列什器Ａは、図１〜図３に示すように、什器本体１と、例えばホースやチューブなどの長尺物品Ｃが巻き取られた円筒状のボビンＢを回転自在に支持する支持回転体２とを備えている。
さらに、本発明の実施形態に係る陳列スタンドは、陳列什器Ａと、長尺物品Ｃが巻き取られる円筒状の中芯（芯筒）Ｂ１を有するボビンＢとから構成されている。ボビンＢは、その中芯Ｂ１の内周面Ｂ２に沿って後述する支持回転体２を挿通することで回転自在に支持されるとともに、中芯Ｂ１の外周面Ｂ３に沿って長尺物品Ｃが巻き取られている。
【００１２】
ボビンＢは、図４に示されるように、中芯Ｂ１の軸線方向両端に一対のフランジＢ４が周設される。ボビンＢの構成材料としては、例えば厚紙や段ボールなどの変形可能な材料を用いるか、又は合成樹脂などを用いることが好ましい。
ボビンＢの中芯Ｂ１には、長尺物品Ｃの断面形状と略同径か又はそれよりも若干大径な挿通孔Ｂ５が開穿され、挿通孔Ｂ５に長尺物品Ｃの末端部Ｃ１を挿通して内周面Ｂ２から若干突出させることにより、中芯Ｂ１に対して長尺物品Ｃが係止される。
特に、長尺物品Ｃとしてホースやチューブなどの管体である場合には、中芯Ｂ１の外周面Ｂ３に沿って長尺物品Ｃが巻き取られる際に、長尺物品Ｃとなる管体の内部に、例えば圧縮された空気などの流体を注入することで、管体の潰れを防止することが好ましい。
挿通孔Ｂ５の配置例としては、支持回転体２によるボビンＢの支持に支障をきたさないように、中芯Ｂ１の軸線方向両端のいずれか一方に寄せて開穿することが好ましい。
【００１３】
什器本体１は、図１及び図２に示されるように、上下（鉛直）方向へ延びる機枠１ａを有している。この機枠１ａは、例えば金属などの剛性材料からなる杆材や棒材や板材又はそれらの組み合わせなどで構成される。
機枠１ａには、ボビンＢの中芯Ｂ１を支持するための支持回転体２が取り付けられる。
【００１４】
支持回転体２は、図１〜図３（ａ）（ｂ）に示されるように、ボビンＢの中芯Ｂ１を貫通するように挿通され、ボビンＢ（中芯Ｂ１）の内周面Ｂ２においてその周方向の一部のみと部分的に対向するように略棒状に形成される。
さらに、支持回転体２は、什器本体１の機枠１ａに対してその先端部２ａが自由端となるとともに、その基端が固定端となるように片持ち状に突出し、且つ一つのボビンＢに対して複数の支持回転体２が、ボビンＢの内周面Ｂ２において周方向の異なる個所に対向するように略平行に並べて取り付けている。支持回転体２の並列方向としては、ボビンＢの中芯Ｂ１に巻かれた長尺物品Ｃを引き出し方向、すなわち横（略水平）方向に配置することが好ましい。
【００１５】
支持回転体２の外周には、ボビンＢの内周面Ｂ２において軸方向の一部のみと部分的に当接するように形成される支持部２ｂと、ボビンＢの内周面Ｂ２において支持部２ｂが形成されない軸線方向の残り部位と対向するように形成される環状空間部２ｃとを有している。
支持部２ｂは、支持回転体２の軸線方向の一部のみに例えば中空状や中実状に突設され、支持部２ｂが突設されない支持回転体２の軸線方向の残り部位には、環状空間部２ｃが形成される。
環状空間部２ｃは、中芯Ｂ１の内周面Ｂ２に設けられた挿通孔Ｂ５を挿通して突出する長尺物品Ｃの末端部Ｃ１と対向するように配置される。
【００１６】
さらに、支持部２ｂを中空状に突設する場合には、支持回転体２の中心に配置されるローラ２ｄの外周面に対して、複数の支持腕２ｅを放射状に突出するように取り付けることが好ましい。
ローラ２ｄは、支軸の外側に管体又は円筒体を遊転自在に嵌挿するか、或いは円柱体を遊転自在に支持することで構成される。
支持腕２ｅは、例えば鉄などの剛性材料からなる例えば線材や板材などからなる剛性材料を複数、それぞれがローラ２ｄの外周面から放射状に突出するように固着することにより、支持部２ｂとしてボビンＢの内径よりも小さい外径の羽根車を構成することが好ましい。
支持部２ｂが羽根車である場合には、複数の支持腕２ｅの間に、ローラ２ｄの軸線方向へ延びる隙間をそれぞれ形成している。
【００１７】
支持回転体２の具体例としては、図３（ａ）（ｂ）に示されるように、支持腕２ｅとして支持回転体２の軸線方向へ延びる線材を複数本（３本）それぞれコの字形に屈曲し、これら線材の両端をローラ２ｄの外周面においてその軸線方向中間位置にそれぞれ放射状に固着することにより、支持部２ｂが構成され、この支持部２ｂを挟んだローラ２ｄの軸線方向両端位置に一対の環状空間部２ｃをそれぞれ形成している。
つまり、支持回転体２に対してその先端部２ａ側から、中芯Ｂ１の軸線方向両端のいずれか一方に寄せて挿通孔Ｂ５が開穿されるボビンＢを、その向きに関係なく挿入しても、挿通孔Ｂ５が両環状空間部２ｃのいずれか一方と対向するように配置している。
さらに必要に応じて、支持回転体２の軸線方向へ延びる線材からなる支持腕２ｅの外周又は内周に、リング状の線材からなる支持腕２ｅ′を固着することで、複数の支持腕２ｅの間隔が変化しないように補強することが好ましい。
また、その他の例として図示しないが、支持回転体２の支持部２ｂとして、ローラ２ｄの外周面に支持腕２ｅを設けずにリング状の線材からなる支持腕２ｅ′を設けたり、中空状のものに代えて、中実な円筒状に形成するなど、図示例以外の形状に形成することも可能である。
またさらに、２本の支持回転体２をそれらの間に間隔が空くように配置し、中芯Ｂ１の内周面Ｂ２において支持回転体２の当接個所とは異なる個所に当接する補助当接部（図示しない）を設け、これら補助当接部と支持回転体２とで中芯Ｂ１の内周面Ｂ２が三点支持されるように配置することが好ましい。
【００１８】
支持回転体２の先端部２ａ側には、什器本体１の機枠１ａへ向けて斜め下方へ延びる支えアーム３を設け、この支えアーム３の下端を什器本体１、詳しくはその機枠１ａやそれに取り付けられる付属部品などに連結することで、支持回転体２の取り付け状態を補強することが好ましい。
さらに、支えアーム３を下方へ延長するなどしてその下端に、ボビンＢの内周面Ｂ２において各支持回転体２の当接個所とは異なる個所に当接する補助当接部（図示しない）を設け、この補助当接部と各支持回転体２とでボビンＢの内周面Ｂ２が三点支持されるように配置することが好ましい。このような場合には、各支持回転体２及び補助当接部４に対してボビンＢの内周面Ｂ２が、ボビンＢの径方向へ位置ズレ不能に支持され、それにより、ボビンＢの位置ズレを完全に防止することができる。その結果、ボビンＢの安定性に優れ、ボビンＢに巻かれた長尺物品Ｃを勢い良く引き出してもガタ付くことがない。
【００１９】
このような本発明の実施形態に係る陳列什器Ａ及び陳列スタンドによると、図１に示すように、陳列什器Ａの什器本体１から片持ち状に突出して取り付けられる複数の略平行な支持回転体２に対し、これらの先端部２ａ側からボビンＢを挿入すると、ボビンＢの内周面Ｂ２において周方向の異なる個所に、複数の支持回転体２の支持部２ｂがそれぞれ当接して係止され、複数の支持回転体２でボビンＢの中芯Ｂ１が回転自在に支持される。
この支持状態で、中芯Ｂ１の外周面Ｂ３に沿って巻回された長尺物品Ｃを、例えば略水平方向へ引き出し、それに伴ってボビンＢが回転しても、ボビンＢ及びそれに巻かれた長尺物品Ｃの重量で、各支持回転体２の並列方向へ位置ズレしない。
これと同時に、ボビンＢの内周面Ｂ２の挿通孔Ｂ５を挿通して突出した長尺物品Ｃの末端部Ｃ１が、支持回転体２の外周との間に形成される環状空間部２ｃに入り込んで、支持回転体２の外周と接触せずに回転移動する。
それにより、陳列什器Ａの什器本体１に対してボビンＢのセット及び交換が容易で且つボビンＢをガタ付くことなくスムーズに回転支持することができる。
【００２０】
特に、支持部２ｂが、支持回転体２の中心に配置されるローラ２ｄの外周面から放射状に突出する複数の支持腕２ｅを有する場合には、支持部２ｂとして複数の支持腕２ｅの外端を、ボビンＢの内周面Ｂ２に当接させることにより、複数の支持腕２ｅの間に、支持回転体２の軸線方向に沿って延びる通過スペースが形成される。
それにより、ボビンＢの内周面Ｂ２が変形しても滑らかに通過させることができる。
その結果、ボビンＢに対してホースなどの長尺物品Ｃを巻き付けた後に、長尺物品Ｃが収縮したり、輸送時の振動などでボビンＢの中芯Ｂ１が潰れたり、ボビンＢの内周面Ｂ２にシワが発生しても、これらの変形が複数の支持腕２ｅ間の通過スペースに入り込むことで、ボビンＢがガタガタせずに回転支持することができる。
【００２１】
さらに、支持回転体２の先端部２ａから什器本体１へ向け斜め下方へ延びる支えアーム３を設けて、支えアーム３の下端を什器本体１、詳しくはその機枠１ａやそれに取り付けられる付属部品など（図示例では後述するするブラケット２ｆ）に連結した場合には、支持回転体２及びボビンＢの重量が支えアーム３で支持される。
それにより、簡単な構造でありながら支持回転体２及びボビンＢを安定保持することができる。
その結果、支持回転体２の安定性に優れ、且つ支持回転体２の補強構造を簡素化できてコストの低減化も図れる。
次に、本発明の一実施例を図面に基づいて説明する。
【実施例】
【００２２】
この実施例は、図１及び図２に示すように、陳列什器Ａが、什器本体１の機枠１ａを柱状に形成して、この機枠１ａの複数の表面に対し、一対の支持回転体２をそれぞれ上下方向へ複数組ずつ配置し、これら複数組の支持回転体２に対してボビンＢをそれぞれ回転自在に支持したものである。
【００２３】
図１及び図２に示される例では、什器本体１の機枠１ａが、上下方向へ延びる複数の柱部材１ｂと、水平方向へ延びる複数の桟部材１ｃを相互に連結することで、上下方向へ所定間隔毎に桟部材１ｃを配置した四角柱状に形成されている。
この機枠１ａの背中合わせとなる両面には、複数種類の支持回転体２を３個ずつそれぞれ高さ調整自在に取り付け、これら複数種類の支持回転体２に対して外径の異なるボビンＢをそれぞれ回転自在に支持している。その具体例としては、上方の支持回転体２に、外径が小さくて比較的に軽量なボビンＢを回転自在に支持し、中間及び下方の支持回転体２には、外径が大きくて比較的に重いボビンＢを回転自在に支持している。
什器本体１として機枠１ａの下端部には、台座１ｄが連設され、この台座１ｄは、複数の杆材や棒材や板材又はそれらの組み合わせなどを格子状枠組するか、或いは平板状に連結することなどで形成されている。台座１ｄには、什器本体１の移動手段１ｅとして複数のキャスターなどが取り付けられている。
また、その他の例として図示しないが、機枠１ａを四角柱状に代えて三角柱状や多角柱状又は円柱状に形成したり、上下方向へ２個又は４個以上の支持回転体２をそれぞれ高さ調整自在に取り付けるか又は固定配置したり、台座１ｄに移動手段１ｅを設けず移動不能にすることも可能である。
【００２４】
図１〜図３（ａ）（ｂ）に示される例では、略平行に並んだ２本の支持回転体２と、支持回転体２の基端側に設けられるＴ字型のブラケット２ｆと、支持回転体２の先端側に設けられるプレート２ｇと、支持回転体２の先端部２ａ側からブラケット２ｆの下部に亘って架設される支えアーム３とを一体化している。
ブラケット２ｆの上端部とプレート２ｇとの間には、ブラケット２ｆに固着された支軸２ｄ１の外側に対して円筒体２ｄ２を遊転自在に嵌挿することで、各支持回転体２のローラ２ｄが回転自在に挟持されるとともに、棒材や杆材又は板材などからなる補強部材２ｈを、支持回転体２と略平行に１本又は複数本設けて、ブラケット２ｆとプレート２ｇとの間が所定間隔に保持される。ブラケット２ｆと補強部材２ｈと支えアーム３は、支持回転体２を横方向から見た状態で、略三角形となるように配置することが好ましい。
【００２５】
そして、機枠１ａに対する支持回転体２の高さ調整手段４としては、図３（ａ）（ｂ）に示されるように、Ｔ字型のブラケット２ｆにおいて上端部の裏面に、鉤型に形成されたフック４ａと、フック４ａに向けて往復動自在に支持されたネジ４ｂとを備え、機枠１ａにおいて上下方向へ複数配置される桟部材１ｃに対し、ブラケット２ｆのフック４ａを係止させ、ネジ４ｂで挟持することにより、ブラケット２ｆと一体化された支持回転体２を着脱自在に取り付けている。
また、その他の例として図示しないが、支持回転体２の高さ調整手段４として、フック４ａやネジ４ｂに代えて従来周知な着脱手段を設けることも可能である。
【００２６】
さらに、機枠１ａの下端部となる台座１ｄには、図１及び図２に示されるように、支持回転体２に対するボビンＢのセット時と交換時において什器本体１を一時的に走行不能に固定するための手段として、什器本体１の設置床面Ｆと接地可能な足踏み式の移動防止手段５を設けることが好ましい。
【００２７】
足踏み式の移動防止手段５は、什器本体１の設置床面Ｆと対向するストッパー部５ａを有している。このストッパー部５ａが台座１ｄを構成する杆材や棒材などに対して、着脱自在又は上下方向へ移動可能に取り付けて、作業者がストッパー部５ａの表面を足踏みして体重を掛けることにより、ストッパー部５ａの裏面が什器本体１の設置床面Ｆに圧接して、両者間に大きな摩擦抵抗が発生するようにしている。
図１及び図２に示される例では、金属板や硬質合成樹脂板などの剛性部材又は弾性変形可能な材料からなる帯状板材を略Ｓ字型に折り曲げるか又は型成形などにより、その一端にストッパー部５ａが一体形成されるとともに、他端には機枠１ａの台座１ｄを構成する杆材や棒材などと着脱自在に係合する係止部５ｂとしてフックが一体形成される。台座１ｄに係止部５ｂとなるフックを係合した状態で、作業者がストッパー部５ａの表面を足踏みして体重を掛けることにより、ストッパー部５ａや係止部５ｂの僅かな弾性変形や台座１ｄとの取り付け部に生じる遊びなどで、ストッパー部５ａの裏面が什器本体１の設置床面Ｆへ向け接近移動して圧接するように配置している。
また、その他の例として図示しないが、フックなどの係止部５ｂに代えて、台座１ｄに対し上下方向へ往復動自在に支持されるスライド部をストッパー部５ａに連設し、作業者がストッパー部５ａの表面を足踏みして体重を掛けることにより、台座１ｄに対し前記スライド部が下動して、ストッパー部５ａの裏面が什器本体１の設置床面Ｆへ向け沈み込み圧接するように配置したり、予めストッパー部５ａが什器本体１の設置床面Ｆと接触するように配置することも可能である。
【００２８】
さらに、支持回転体２には、図１〜図３（ａ）（ｂ）に示されるように、複数の支持回転体２に対し、その先端部２ａ側からボビンＢを挿入してボビンＢの中芯Ｂ１が回転自在に係止された状態で、ボビンＢからの長尺物品Ｃの引き出しなどによって複数の支持回転体２からボビンＢが抜け出して落下することを防止するための手段として、ボビンＢの落下防止手段６を設けることが好ましい。
【００２９】
ボビンＢの落下防止手段６は、支持回転体２の先端部２ａ側に落下防止材用の突起部６ａを有し、突起部６ａの少なくとも一部がボビンＢのフランジＢ４などに突き当たることで、支持回転体２からボビンＢが抜け出ることを防止している。
図１〜図３（ａ）（ｂ）に示される例では、金属棒などを逆Ｕ字型に屈曲した落下防止材用の突起部６ａと、突起部６ａの基端が着脱自在に嵌挿される孔状の保持部６ｂとを備え、孔状の保持部６ｂをプレート２ｇに形成し、図２に示されるように、支持回転体にボビンＢを挿入して回転自在に係止された後に、突起部６ａを孔状の保持部６ｂに挿着することで、突起部６ａの先端がボビンＢのフランジＢ４に当接して、支持回転体２からボビンＢが抜け出ることを防止している。
また、その他の例として図示しないが、落下防止材用の突起部６ａを略コの字形などの他の形状に形成したり、落下防止材用の突起部６ａを板材などで形成することも可能である。
【００３０】
このような本発明の実施例に係る陳列什器Ａ及び陳列スタンドによると、図１及び図２に示されるように、柱状に形成された機枠１ａの複数面に一対の支持回転体２を上下方向へ複数組ずつ配置したので、コンパクトに多数のボビンＢを回転自在に支持することができて、専有面積の狭い売り場に好適であるという利点がある。
【００３１】
さらに、機枠１ａの下端部に什器本体１の移動手段１ｅが取り付けられる場合には、ボビンＢから長尺物品Ｃを引き出す際に、移動手段１ｅで什器本体１が移動して、ボビンＢから長尺物品Ｃをうまく引き出せないおそれがある。さらにまた、ボビンＢを回転自在に支持する支持回転体２として、什器本体１から片持ち状に突出して取り付けられる支持回転体２に対し、ボビンＢを挿入して係止させる際には、中芯Ｂ１の内周面Ｂ２が支持回転体２の先端部２ａに接触すると、その反動により移動手段１ｅで支持回転体２が什器本体１と共に逃げ移動して、ボビンＢをうまく挿入できないおそれがある。
そこで、このような問題点を解決する方法としては、什器本体１に取り付けられる複数の移動手段１ｅのうち一部か又は総てをストッパー付きのキャスターにし、これら複数のストッパーを手動操作にすることで、什器本体１を一時的に走行不能に固定することが考えられる。
しかし、複数の移動手段１ｅのうち一部のみをストッパー付きのキャスターにした場合には、これらストッパーを手動操作しても、ストッパー機能のないキャスターがフリー状態なので什器本体１を安定させることができず、ボビンＢと支持回転体２の接触により什器本体１が旋回移動するおそれがある。
また、複数の移動手段１ｅの総てを、ストッパー付きのキャスターにした場合には、これら総てのストッパーをそれぞれ手動で操作する作業は面倒であり、簡単で素早く走行不能に切り換えることができず、支持回転体２に対してボビンＢを簡単で素早くセットしたり、交換することができない。
このため、足踏み式の移動防止手段５が、図１及び図２に示される例のように、ストッパー部５ａに台座１ｄと着脱自在に係合する係止部５ｂが一体形成された場合には、移動防止手段５の使用時のみ、図１に示されるように、台座１ｄの外側にストッパー部５ａを取り付け、移動防止手段５の不使用時には、図２に示されるように、台座１ｄの内部にストッパー部５ａを収納できるから、簡単な構造で且つ支持回転体２に対するボビンＢのセット時と交換時において什器本体１を確実に移動不能に固定することができるという利点がある。
【００３２】
また、図１〜図３（ａ）（ｂ）に示されるように、支持回転体２にボビンＢの落下防止手段６を設けた場合には、ボビンＢからの長尺物品Ｃの引き出しなどにより支持回転体２からボビンＢが抜け出して落下することがないので、安全に長尺物品Ｃを引き出すことができるという利点がある。
特に、落下防止手段６が、図１〜図３（ａ）（ｂ）に示される例のように、落下防止材用の突起部６ａが保持部６ｂに対して着脱自在に取り付けられる場合には、図２に示されるボビンＢのセット時や交換時において、落下防止材用の突起部６ａが邪魔とならず、支持回転体２に対しボビンＢを挿入して係止させる作業が容易になるとともに、ボビンＢを高く持ち上げる必要がないから、背の低い作業者でも確実にボビンＢのセットや交換が行えるという利点がある。
【００３３】
なお、前示実施例では、陳列什器Ａが、什器本体１の機枠１ａを柱状に形成し、その複数の表面に対し、一対の支持回転体２をそれぞれ上下方向へ複数組ずつ配置し、これら複数組の支持回転体２に対してボビンＢをそれぞれ回転自在に支持したが、これに限定されず、什器本体１の機枠１ａを柱状に代えて面状などに形成したり、機枠１ａの一面のみに複数の支持回転体２を配置したり、機枠１ａとして一般にゴンドラ什器と呼ばれる什器などを利用することも可能である。
このゴンドラ什器とは、少なくとも２本以上の縦柱が左右方向へ所定間隔を置いて互いに略平行に立設されるとともに、これら縦柱の間に支持バーを水平状に架け渡すことで構成され、該支持バーに支持回転体２を支持しても良い。
【符号の説明】
【００３４】
Ａ  陳列什器                          １  什器本体
２  支持回転体                        ２ａ  先端部
２ｂ  支持部                          ２ｃ  環状空間部
２ｄ  ローラ                          ２ｅ  支持腕
３  支えアーム                        Ｂ  ボビン
Ｂ１  中芯                            Ｂ２  内周面
Ｂ３  外周面                          Ｃ  長尺物品
Ｃ１  末端部
【図１】
2012165868.tif 000003
【図２】
2012165868.tif 000004
【図３】
2012165868.tif 000005
【図４】
2012165868.tif 000006